(57)【要約】本発明は、例えばデジタルカメラにおいて使用され得る角柱状の一次電池に係る。
2007507075.tif 000002
【特許請求の範囲】
【請求項１】
一次電池であって、
電池Ａの長さ、幅、及び厚さと略同一である長さ、幅、及び厚さを有する筐体と、
前記筐体内における陰極、陽極、及び電解質と、
前記電池が電池Ａを再充電するよう設計された充電器に置かれた場合は再充電しないよう位置付けられたプラス接点及びマイナス接点と、
を有する、
電池。
【請求項２】
前記電池の前記プラス接点は、電池Ａにおける前記プラス接点の位置に関連してオフセットされる、
請求項１記載の電池。
【請求項３】
面は、前記電池の前記幅を定義付ける第１の端部及び第２の端部を有し、
前記電池の前記マイナス接点は、前記面の前記第１の端部に略配列され、前記電池の前記プラス接点は、前記面の前記第２の端部に略配列される、
請求項２記載の電池。
【請求項４】
前記面は、電池Ａの前記プラス又はマイナス接点に対応する凹部を有する、
請求項２記載の電池。
【請求項５】
前記電池の前記マイナス接点は、電池Ａにおける前記マイナス接点の位置に関連してオフセットされる、
請求項１記載の電池。
【請求項６】
前記電池は、前記電池筐体上に独立接点を有するサーミスタを有さない、
請求項１記載の電池。
【請求項７】
前記電池はリチウム電池である、
請求項１記載の電池。
【請求項８】
前記陰極は、リチウム金属又はリチウム含有材料を有する、
請求項７記載の電池。
【請求項９】
前記陽極は、二酸化マンガンを有する、
請求項８記載の電池。
【請求項１０】
一次電池であって、
電池Ｂ，Ｃ，Ｄ，Ｅ，Ｆ、又はＧの長さ、幅、及び厚さと略同一である長さ、幅、及び厚さを有する筐体と、
前記筐体内における陰極、陽極、及び電解質と、
前記電池が電池Ｂ，Ｃ，Ｄ，Ｅ，Ｆ、又はＧを再充電するよう設計された充電器に置かれる場合は再充電しないよう位置付けられたプラス接点及びマイナス接点と、
を有する、
電池。
【請求項１１】
前記筐体の前記長さ、幅、及び厚さは、電池Ｂの前記長さ、幅、及び厚さと略同一であり、前記プラス接点及びマイナス接点は、電池Ｂを再充電するよう設計された充電器に置かれる場合は再充電しないよう位置付けられる、
請求項１０記載の電池。
【請求項１２】
前記筐体の前記長さ、幅、及び厚さは、電池Ｃの前記長さ、幅、及び厚さと略同一であり、前記プラス接点及びマイナス接点は、電池Ｃを再充電するよう設計された充電器に置かれる場合は再充電しないよう位置付けられる、
請求項１０記載の電池。
【請求項１３】
前記筐体の前記長さ、幅、及び厚さは、電池Ｄの前記長さ、幅、及び厚さと略同一であり、前記プラス接点及びマイナス接点は、電池Ｄを再充電するよう設計された充電器に置かれる場合は再充電しないよう位置付けられる、
請求項１０記載の電池。
【請求項１４】
前記筐体の前記長さ、幅、及び厚さは、電池Ｅの前記長さ、幅、及び厚さと略同一であり、前記プラス接点及びマイナス接点は、電池Ｅを再充電するよう設計された充電器に置かれる場合は再充電しないよう位置付けられる、
請求項１０記載の電池。
【請求項１５】
前記筐体の前記長さ、幅、及び厚さは、電池Ｆの前記長さ、幅、及び厚さと略同一であり、前記プラス接点及びマイナス接点は、電池Ｆを再充電するよう設計された充電器に置かれる場合は再充電しないよう位置付けられる、
請求項１０記載の電池。
【請求項１６】
前記筐体の前記長さ、幅、及び厚さは、電池Ｇの前記長さ、幅、及び厚さと略同一であり、前記プラス接点及びマイナス接点は、電池Ｇを再充電するよう設計された充電器に置かれる場合は再充電しないよう位置付けられる、
請求項１０記載の電池。
【請求項１７】
前記電池の前記プラス接点は、電池Ｂ，Ｃ，Ｄ，Ｅ，Ｆ、又はＧにおける前記プラス接点の位置に関連してオフセットされる、
請求項１０記載の電池。
【請求項１８】
面は、前記電池の前記幅を定義付ける第１の端部及び第２の端部を有し、
前記電池の前記マイナス接点は、前記面の前記第１の端部に略配列され、前記電池の前記プラス接点は、前記面の前記第２の端部に略配列される、
請求項１７記載の電池。
【請求項１９】
前記面は、電池Ｂ，Ｃ，Ｄ，Ｅ，Ｆ、又はＧの前記プラス又はマイナス接点に対応する凹部を有する、
請求項１７記載の電池。
【請求項２０】
前記電池の前記マイナス接点は、電池Ｂ，Ｃ，Ｄ，Ｅ，Ｆ、又はＧにおける前記マイナス接点の位置に関連してオフセットされる、
請求項１０記載の電池。
【請求項２１】
前記電池は、前記電池筐体上に独立接点を有するサーミスタを有さない、
請求項１９記載の電池。
【請求項２２】
前記電池は、リチウム電池である、
請求項１０記載の電池。
【請求項２３】
一次電池であって、
約２ｍｍ乃至約１５ｍｍの厚さ、約１０ｍｍ乃至約５０ｍｍの幅、及び、約２０ｍｍ乃至約６０ｍｍの長さを有する筐体と、
前記筐体の面上のプラス電気接点及びマイナス電気接点と、
前記筐体内における陰極、陽極、及び電解質と、
を有し、
前記電池は、前記電池筐体上に独立接点を有するサーミスタを有さない、
電池。
【請求項２４】
前記電池は、リチウム電池である、
請求項２３記載の電池。
【請求項２５】
前記陰極は、リチウム金属又はリチウム含有材料を有する、
請求項２４記載の電池。
【請求項２６】
角柱状の一次電池であって、
約２ｍｍ乃至約１５ｍｍの厚さ、約１０ｍｍ乃至約５０ｍｍの幅、及び、約２０ｍｍ乃至約６０ｍｍの長さを有する筐体と、
前記筐体の面上のプラス電気接点及びマイナス電気接点と、
前記筐体内における陰極、陽極、及び電解質と、
を有し、
前記プラス電気接点及び前記マイナス電気接点は夫々、略同一の寸法の接点空間を占め、前記プラス電気接点及び前記マイナス電気接点は、少なくとも前記マイナス電気接点を前記プラス電気接点から絶縁するよう十分に大きい空間によって隔てられる、
電池。
【請求項２７】
前記電池は、リチウム電池である、
請求項２６記載の電池。
【請求項２８】
前記陰極は、リチウム金属又はリチウム含有材料を有する、
請求項２７記載の電池。
【請求項２９】
前記プラス電気接点及び前記マイナス電気接点は、前記接点空間に対して寸法において少なくとも略同等である空間によって隔てられる、
請求項２６記載の電池。
【請求項３０】
前記プラス電気接点及び前記マイナス電気接点は、前記接点空間の寸法の少なくとも約１．５倍である空間によって隔てられる、
請求項２６記載の電池。
【請求項３１】
前記プラス電気接点及び前記マイナス電気接点は、前記接点空間の寸法の少なくとも約２倍である空間によって隔てられる、
請求項２６記載の電池。
【請求項３２】
前記プラス電気接点及び前記マイナス電気接点は、前記接点空間の寸法の少なくとも約２．５倍である空間によって隔てられる、
請求項２６記載の電池。
【請求項３３】
前記電池は、前記電池筐体上に独立接点を有するサーミスタを有さない、
請求項２６記載の電池。
【請求項３４】
一次電池であって、
約２ｍｍ乃至約１５ｍｍの厚さ、約１０ｍｍ乃至約５０ｍｍの幅、及び、約２０ｍｍ乃至約６０ｍｍの長さを有する角柱状の筐体と、
前記筐体内における陰極、陽極、及び電解質と、
前記筐体の面上のプラス電気接点及びマイナス電気接点と、
を有し、
前記プラス電気接点及びマイナス電気接点は、前記面の対向する端部で位置決めされる、
電池。
【請求項３５】
前記電池は、リチウム電池である、
請求項３４記載の電池。
【請求項３６】
前記陰極は、リチウム金属又はリチウム含有材料を有する、
請求項３５記載の電池。
【請求項３７】
デジタルカメラであって、
３つの電気接点を有する面を有する筐体を有し、
前記接点のうち１つはプラス電気接点であり、前記接点のうち１つはマイナス電気接点であり、残る接点は、プラス電気接点又はマイナス電気接点のうちいずれか一方である、
デジタルカメラ。
【請求項３８】
前記デジタルカメラは、リチウム電池又はリチウムイオン電池のうちいずれか一方で動作するよう適合される、
デジタルカメラ。
【請求項３９】
前記カメラは、リチウム電池上の前記電気接点に対応する電気接点と、リチウムイオン電池上の前記電気接点に対応する電気接点とを有する、
請求項３８記載のカメラ。
【請求項４０】
一次電池であって、
約２ｍｍ乃至約１５ｍｍの厚さ、約１０ｍｍ乃至約５０ｍｍの幅、及び、約２０ｍｍ乃至約６０ｍｍの長さを有する筐体と、
前記筐体の面上のプラス電気接点及びマイナス電気接点と、
前記筐体内における陰極、陽極、及び電解質と、
を有し、
前記マイナス接点は抵抗としても機能する、
電池。
【請求項４１】
前記電池は、リチウム電池である、
請求項４０記載の電池。
【請求項４２】
前記陰極は、リチウム金属又はリチウム含有材料を有する、
請求項４０記載の電池。
【請求項４３】
前記プラス接点及び前記マイナス接点は、前記筐体の同一の面上にある、
請求項４０記載の電池。
【請求項４４】
一次電池であって、
約２ｍｍ乃至約１５ｍｍの厚さ、約１０ｍｍ乃至約５０ｍｍの幅、及び、約２０ｍｍ乃至約６０ｍｍの長さを有する筐体と、
前記筐体内における陰極、陽極、及び電解質と、
前記筐体の面上のプラス電気接点及びマイナス電気接点と、
を有し、
３ボルト電池である、
電池。
【発明の詳細な説明】
【技術分野】
【０００１】
本発明は、電池に係る。
【背景技術】
【０００２】
デジタルカメラ及び他の電子装置（例えば、携帯電話、ＭＰ３プレーヤ、及び、ＢｌａｃｋＢｅｒｒｉｅｓ（登録商標）等の携帯端末（ＰＤＡ））は、ニッケル金属水素化物電池又は二次リチウムイオン電池等の電池で動作する。デジタルカメラにおいて使用されている電池の型の１つは、Ｐａｎａｓｏｎｉｃ社より市販されているＰｅｎｔａｘ  Ｄ−Ｌ１２、３．７Ｖである二次の角柱状の（ｐｒｉｓｍａｔｉｃ）リチウムイオン電池であり、図１及び図２中に図示される。
【０００３】
図１を参照すると、電池１０は、約５３．０ｍｍの長さ「Ｌ」、約３５．２ｍｍの幅「Ｗ」、及び約７．０ｍｍの厚さ「Ｔ」を有する。本願中、図１及び図２中に図示された角柱状のセルの型は、「電池Ａ」と称される。電池Ａの型の電池の他の特定の例は、Ｐｅｎｔａｘ社Ｄ−Ｌ１２Ｂ、Ｇｏｌｄ  Ｐｅａｋ社ＶＦＬ００１、Ｐａｎａｓｏｎｉｃ社ＶＷ−ＶＢＡ１０、Ｍｕｇｅｎ  Ｐｏｗｅｒ社ＨＬＩ−ＮＰ６０、及びＦｕｊｉｆｉｌｍ社ＮＰ６０を有する。
【０００４】
図２を参照すると、電池１０の面１２は、並列配置で位置付けられた３つの電気接点１４，１６及び１８を有する。接点１４はプラスであり、接点１８はマイナスである。接点１４及び接点１８から同等の距離を置かれて間に位置決めされた接点１６は、サーミスタである。サーミスタは、再充電を調整する熱的にセンシティブなレジスタである。電池１０が充電される際、電池の温度は上昇し、それによってサーミスタは電流フローに対してその抵抗を上昇される。結果として、電池１０を介する電荷電流は減少する。電池１０が熱くなりすぎる場合は、サーミスタは充電を止める。電池１０がデジタルカメラ又は充電器に挿入される際、接点１４，１６及び１８は、カメラ又は充電器における対応する接点に接触する。
【０００５】
二次の角柱状のリチウムイオン電池の他の例は、Ｃａｓｉｏ社ＮＰ２０である。Ｃａｓｉｏ社ＮＰ２０によって例示される電池の型は、一般的には「電池Ｂ」と称される。電池Ｂは、３つの電気接点（プラス接点、サーミスタ、及びマイナス接点）を有し、その寸法は、５０ｍｍ×３３ｍｍ×４．５ｍｍである。
【０００６】
二次の角柱状のリチウムイオン電池の他の例は、Ｏｌｙｍｐｕｓ社ＬＩ−１０Ｂである。Ｏｌｙｍｐｕｓ社ＬＩ−１０Ｂによって例示される電池の型は、「電池Ｃ」と一般的に称される。電池Ｃは、３つの電気接点（プラス接点、サーミスタ、及びマイナス接点）を有し、その寸法は、４６ｍｍ×３２ｍｍ×９．７ｍｍである。
【０００７】
二次の角柱状のリチウムイオン電池の他の例は、Ｍｏｔｏｒｏｌａ社ＳＮＮ５７１７Ｃである。Ｍｏｔｏｒｏｌａ社ＳＮＮ５７１７Ｃによって例示される電池の型は、「電池Ｄ」と一般的に称される。電池Ｄは、４つの電気接点（プラス接点、サーミスタ、レジスタ、及びマイナス接点）を有し、その寸法は、５８ｍｍ×３５．６ｍｍ×７．０ｍｍである。レジスタは、電子装置（デジタルカメラ、充電器等）が電池の化学的性質を識別するよう役立ち得る。
【０００８】
二次の角柱状のリチウムイオン電池の他の例は、Ｍｏｔｏｒｏｌａ社ＳＮＮ５７１７Ｃである。Ｍｏｔｏｒｏｌａ社ＳＮＮ５７１７Ｃによって例示される電池の型は、「電池Ｄ」と一般的に称される。電池Ｄは、４つの電気接点（プラス接点、サーミスタ、レジスタ、及びマイナス接点）を有し、その寸法は、５８ｍｍ×３５．６ｍｍ×７．０ｍｍである。レジスタは、電子装置（デジタルカメラ、充電器等）が電池の化学的性質を識別するよう役立ち得る。
【０００９】
二次の角柱状のリチウムイオン電池の他の例は、Ｍｏｔｏｒｏｌａ社ＳＮＮ５７０５Ｂである。Ｍｏｔｏｒｏｌａ社ＳＮＮ５７０５Ｂによって例示される電池の型は、「電池Ｅ」と一般的に称される。電池Ｅは、４つの電気接点（プラス接点、サーミスタ、レジスタ、及びマイナス接点）を有し、その寸法は、５８ｍｍ×３５．６ｍｍ×４．６ｍｍである。
【００１０】
二次の角柱状のリチウムイオン電池の他の例は、Ｎｏｋｉａ社ＢＬ−５Ｃである。Ｎｏｋｉａ社ＢＬ−５Ｃによって例示される電池の型は、「電池Ｆ」と一般的に称される。電池Ｆは、４つの電気接点（プラス接点、サーミスタ、レジスタ、及びマイナス接点）を有し、その寸法は、５３ｍｍ×３４ｍｍ×５．７ｍｍである。
【００１１】
二次の角柱状のリチウムイオン電池の他の例は、ＢｌａｃｋＢｅｒｒｙ（登録商標）ＢＡＴ−０３０８７−００２である。ＢｌａｃｋＢｅｒｒｙ（登録商標）ＢＡＴ−０３０８７−００２によって例示される電池の型は、「電池Ｇ」と一般的に称される。電池Ｇは、４つの電気接点（プラス接点、サーミスタ、レジスタ、及びマイナス接点）を有し、その寸法は、５０．５ｍｍ×３８ｍｍ×７．１ｍｍである。
【非特許文献１】Ｄａｖｉｄ  Ｌｉｎｄｅｎ著、「Ｈａｎｄｂｏｏｋ  ｏｆ  Ｂａｔｔｅｒｉｅｓ」（ＭｃＧｒａｗ−Ｈｉｌｌ，第２版。１９９５年）
【発明の開示】
【発明が解決しようとする課題】
【００１２】
本発明は、電子装置（デジタルカメラ、携帯電話、ＭＰ３プレーヤ、又はＢｌａｃｋＢｅｒｒｙ（登録商標）等の携帯端末（ＰＤＡ）等）における使用に対する一次電池（リチウム電池等）に一般的に関連する。
【課題を解決するための手段】
【００１３】
１つの面においては、一次電池は、電池Ａと略同一の寸法を有するが、電池Ａにおける対応するプラス接点又はマイナス接点の位置とは異なる位置において位置付けられる少なくとも１つのプラス接点又はマイナス接点を有する。
【００１４】
複数の実施例においては、一次電池は、電池Ａにおけるプラス接点及び／又はマイナス接点の位置に対応する凹部を有する。一次電池において凹部があるプラス及び／又はマイナス接点は、電池Ａに関連する一次電池において再度位置付けられる。一次電池は、望ましくは、電池筐体上に独立接点（即ち、プラス接点及びマイナス接点から離れた）を有するサーミスタを有さない。特定の実施例においては、一次電池は、電池Ａにおけるサーミスタの位置に対応する凹部を有し得る。凹部を有する一次電池は、カメラが電池Ａ又は一次電池のいずれか一方を有して動作できるようにする接点を有してデジタルカメラにおいて使用され得る。しかしながら、一次電池は、電池Ａを有する使用を意図された充電器に誤って置かれた場合、充電器における接点に対応する一式の接点を有さないため再充電されない。これは一次電池のユーザにとって、例えば充電器に誤っておかれた際の一次電池の過熱をユーザが心配する必要はないため、有利である。一次電池は、例えば、小型及び／又は断面の薄いデジタルカメラへと適合するよう設計され得る。他の利点は、一次電池はＡＣ電源コード及び充電器等の煩わしい付属品を有して運んだり旅行をすることをユーザに求めない、ことである。
【００１５】
他の面では、一次電池（リチウム電池等）は、電池Ｂ，Ｃ，Ｄ，Ｅ，Ｆ、又はＧと略同一の寸法を有する。一次電池は、本発明の第１の面に関連して上述された状態の１つ又はそれ以上において、電池Ｂ，Ｃ，Ｄ，Ｅ，Ｆ、又はＧとは異なり得る。例えば、一次電池は、電池Ｂ，Ｃ，Ｄ，Ｅ，Ｆ、又はＧにおける対応するプラス又はマイナス接点の位置とは異なる位置において位置付けられる少なくとも１つのプラス又はマイナス接点を有し得る。
【００１６】
他の面では、一次電池は、約２ｍｍ乃至約１５ｍｍの厚さ、約１０ｍｍ乃至約５０ｍｍの幅、及び、約２０ｍｍ乃至約６０ｍｍの長さを有する筐体を有する。一次電池はまた、筐体の面上に位置決めされたプラス電気接点及びマイナス電気接点を有する。陰極、陽極、及び電解質は、筐体内にある。電池は、電池筐体上に独立接点を有するサーミスタを有さない。
【００１７】
他の面では、一次電池は、約２ｍｍ乃至約１５ｍｍの厚さ、約１０ｍｍ乃至約５０ｍｍの幅、及び、約２０ｍｍ乃至約６０ｍｍの長さを有する筐体を有する。陰極、陽極、及び電解質は、筐体内にある。一次電池はまた、筐体の面上に位置決めされたプラス電気接点及びマイナス電気接点を有する。プラス電気接点及びマイナス電気接点は、略同一の寸法の接触空間を各々占め、少なくとも接点間に適切な絶縁を与えるよう（例えば、接点間の電気的短絡を防ぐよう）十分大きい空間によって分離される。複数の実施例においては、プラス電気接点及びマイナス電気接点は、接点空間と寸法において略同等である空間によって分離される。特定の実施例においては、プラス電気接点及びマイナス電気接点は、接触空間の寸法の少なくとも約１．５倍（例えば、接触空間の寸法の少なくとも約２倍、接触空間の寸法の少なくとも約２．５倍）である空間によって分離される。
【００１８】
複数の実施例においては、上述された電池は、電池筐体上に独立接点を有するサーミスタを有さない。
【００１９】
他の面においては、一次電池は、約２ｍｍ乃至約１５ｍｍの厚さ、約１０ｍｍ乃至約５０ｍｍの幅、及び、約２０ｍｍ乃至約６０ｍｍの長さを有する筐体を有する。陰極、陽極、及び電解質は、筐体内にある。一次電池はまた、面の対向する端部で、筐体の面上に位置決めされたプラス電気接点及びマイナス電気接点を有する。
【００２０】
他の面においては、一次電池は、（例えば、約２ｍｍ乃至約１５ｍｍの厚さ、約１０ｍｍ乃至約５０ｍｍの幅、及び、約２０ｍｍ乃至約６０ｍｍの長さを有する）筐体を有する。陰極、陽極、及び電解質は、筐体内にある。プラス電気接点及びマイナス電気接点は、筐体の面上にある。マイナス接点はまた、レジスタとして機能する。
【００２１】
他の面においては、一次電池は、約２ｍｍ乃至約１５ｍｍの厚さ、約１０ｍｍ乃至約５０ｍｍの幅、及び、約２０ｍｍ乃至約６０ｍｍの長さを有する角柱状の筐体を有する３ボルト電池である。陰極、陽極、及び電解質は、筐体内にある。プラス電気接点及びマイナス電気接点は、筐体上の面上にある。
【００２２】
他の面では、本発明は、１つ又はそれ以上の上述された電池を有して使用され得るデジタルカメラを特徴付ける。複数の実施例においては、該カメラは、３つの電気接点、即ちプラス電気接点、マイナス電気接点、及びプラス又はマイナス電気接点を有する面を有する筐体を有する。
【００２３】
ここで使用される「一次電池」という語は、１度のみ例えば消耗するまで放電され、廃棄されるよう設計された電池を指す。一次電池は、例えば、Ｄａｖｉｄ  Ｌｉｎｄｅｎ著、「Handbook of Batteries」（ＭｃＧｒａｗ−Ｈｉｌｌ，第２版。１９９５年）（非特許文献１）において説明される。
【００２４】
本願では、「角柱状のセル」は、少なくとも４つの一般的には平坦な側部を有し、２つの寸法（例えば長さ及び幅）より大幅に小さい１つの寸法（例えば厚さ）を有する。一例として、角柱状の電池は、約２ｍｍ乃至約１５ｍｍ（例えば約４ｍｍ乃至約１０ｍｍ）の厚さ、約１０ｍｍ乃至約５０ｍｍ（例えば約２０ｍｍ乃至４０ｍｍ）の幅、及び、約２０ｍｍ乃至約６０ｍｍ（例えば約３０ｍｍ乃至約４０ｍｍ）の長さを有し得る。
【発明を実施するための最良の形態】
【００２５】
他の特徴及び利点は、明細書、図面、及び請求項中にある。
【００２６】
図３を参照すると、一次リチウム電池１００は、面１０４を有する筐体１０２を有する。面１０４は、２つの端部１０５及び１０７を有し、該端部は、電池１００の幅を定義付ける。電池１００は、電池Ａと同一の全体の形状及び寸法を有する。故に、電池１００は、電池Ａを適合することも出来るデジタルカメラにおける空間へと適合し得る。しかしながら、電池１００は、３Ｖ電池であり、故に電池Ａとは異なる電圧を有する。筐体１０２は、金属又は金属合金（例えば、ニッケル、ニッケルめっきスチール、ステンレススチール、アルミニウム、アルミニウムを含有する合金）、又はプラスチック（例えば、ポリアミド、ポリ塩化ビニル、ポリプロピレン、ポリスルフォン、アクリロニトリル・ブタジエン・スチレン（ＡＢＳ）、ポリスチレン）で作られ得る。
【００２７】
図４を参照すると、電池１００の面１０４は、２つの電気接点、即ちプラス接点１０６及びマイナス接点１０８を有する。電気接点１０６と電気接点１０８との間には２つの凹部１１０及び１１２がある。プラス接点１０６は、面１０４の端部１０５で略位置決めされ、マイナス接点１０８は、面１０４の端部１０７で略位置決めされる。一般的には、凹部１１０及び１１２は、非導電材料で作られる。凹部１１０及び１１２は、例えばプラスチック（ポリアミド、ポリ塩化ビニル、ポリプロピレン、ポリスルフォン、アクリロニトリル・ブタジエン・スチレン（ＡＢＳ）、ポリスチレン等）で作られ得る。場合によっては、凹部１１０及び１１２は、筐体１０２と同一の材料で作られ、他の場合においては凹部１１０及び１１２及び筐体１０２は異なる材料で作られる。一次電池１００が電池Ａを再充電するよう適切である接点を有する充電器に誤っておかれた場合、電池１００は、その電気接点のうち少なくとも１つが充電器における対応する接点に接触しないため、再充電されない。
【００２８】
図５は、電池１００内に有されるセル１４９を図示する。セル１４９は、陰極１５０、陽極１５４、セパレータ１５８、及び電解質１６２を有する。
【００２９】
セル１４９中の陰極活性材料は、例えばリチウム又はリチウム含有材料（例えば、リチウム及びアルミニウムを有する合金、カルシウム、ナトリウム、及び／又はマグネシウム）であり得る。
【００３０】
陽極活性材料は、例えば、二酸化マンガン（ＭｎＯ２）等の酸化金属であり得る。場合によっては、陽極活性材料は、電解二酸化マンガン（ＥＭＤ）であり得る。他の陽極活性材料は、例えば、同時係属且つ同一出願人による米国特許第２００３／０１２４４２１  Ａ１号明細書、２００３年７月３日発行、「Non-Aqueous Electrochemical Cells」中に説明される。
【００３１】
陽極は、結合剤（ＰＴＦＥ等）及び／又は導電材料（炭素等）等の構成部品を有し得る。結合剤は、例えば、同時係属且つ同一出願人による米国特許第１０／２９０，８３２号明細書、２００２年１１月８日出願、「Flexible Cathodes」中に説明される。
【００３２】
セパレータ１５８は、非水電気化学セルにおいて使用される標準的セパレータ材料のうちのいずれかで形成され得る。例えば、セパレータは、ポリプロピレン（例えば、不織ポリプロピレン又は微小孔性ポリプロピレン）、ポリエチレン、及び／又はポリスルフォンで形成され得る。セパレータは、例えば米国特許第５，１７６，９６８号明細書中に更に説明される。
【００３３】
電解質１６２は、液体、固体、又はゲル（ポリマ）の形状であり得る。電解質は、有機溶媒（プロピレン・カーボネート等）又は無機溶媒（ＳＯ２、ＳＯＣ１２）を有し得る。複数の実施例においては、電解質は、添加剤を有し得る。例えば、電解質は、リチウム・トリフルオロメタンスルフォネート（ＬｉＴＦＳ）又はリチウム・トリフルオロメタンスルフォンイミド）（ＬｉＴＦＳＩ）、又はその組合せ等のリチウム塩を有し得る。有され得る追加的なリチウム塩は、米国特許第５，５９５，８４１号明細書中に記載される。電解質は、前出の米国特許第２００３／０１２４４２１  Ａ１号明細書中に説明される。
【００３４】
図６及び図７Ａを参照すると、電池１００は、リード１８２及び１８４に接続される正の温度係数を有するレジスタ（ＰＴＣ）１８０を有する組立体１７９を望ましくは有する。リード１８２は、マイナス接点１０８としての機能を果たし、電池筐体１０２に対して溶接されたリード１８４は、導体としての機能を果たす。ＰＴＣ１８０は、例えばユーザが電池１００を短絡させた場合の過熱から電池１００を保護し得る。ＰＴＣ１８０は、熱的にセンシティブなレジスタである。電池１００の温度が上昇する際、ＰＴＣ１８０は、電池１００内の電流フローに対する抵抗を僅かに上昇させる。電池１００において所定の温度に達した場合、ＰＴＣ１８０は、電流フローに対する抵抗を大幅に上昇させ、従って電池１００内の電流フローを効果的に遮断し、電池１００を過熱から保護する。短絡の原因が除去された後、ＰＴＣ１８０は、電池１００内の抵抗の標準レベルを復帰させる。
【００３５】
図７Ｂ乃至図７Ｉは、電池１００の製造中の電池１００への組立体１７９の組込みを図示する。図７Ｂ中、リード１８２は略９０度の角度に曲げられ、図７Ｃ中、組立体１７９はスペーサ１８６へと組み込まれる。（組立体１７９が図７Ｃでの位置に対して略１８０度回転された）図７Ｄを参照すると、リード１８２は、矢印Ａによって示された方向において折られる。図７Ｅは、この時点での組立体１７９の対向する側部を図示する。図７Ｆ中、組立体１７９は、矢印Ｂの方向において筐体１０２上に（例えば接着剤でつけることによって）取り付けられ、図７Ｇに図示されるセル１９０を作り出す。その後、（セル１９０が図７Ｇ中の位置に対して略１８０度回転された）図７Ｈを参照すると、プラス接点１０６は、矢印Ｃの方向においてセル１９０に対して取り付け（例えば溶接）される。次に、図７Ｉ中に図示する通り、プラス接点１０６は、折られる（ＰＴＣ１８０は、筐体１０２に溶接される）。図７Ｊを参照すると、スペーサ・カバー１９４は、矢印Ｄの方向においてセル１９０上に置かれる。
【００３６】
一次電池上の接点の配置が図３及び図４中に図示されているが、異なる配置は可能である。例えば、図８を参照すると、電池Ａ及び電池１００と同一の全体的な形状及び寸法を有する電池２００は、プラス電気接点２０６に対して近接するマイナス電気接点２０４を有する面２０２を有する。面２０２はまた、２つの凹部２０８及び２１０を有する。図３及び図４中の電池１００と同様に、一次電池２００が誤って電池Ａ用の充電器におかれた場合、電池２００は、その電気接点のうち少なくとも１つが充電器において対応する接点と接触しないため、再充電されない。
【００３７】
複数の実施例においては、電池Ｄ，Ｅ，Ｆ、又はＧを参照して上述された通り、一次電池は、４つの電気接点、即ちプラス接点、マイナス接点、サーミスタ、及びレジスタを有す二次電池位対応し得る。
【００３８】
一次リチウム電池が上述されてきたが、他の型の電池の化学的性質は使用され得る。一例としては、一次電池は、アルカリ電池であり得る。アルカリ電池は、適切な陰極及び陽極材料を有し、例えば同時係属且つ同一出願人による米国特許第０９／６５８，０４２号明細書、２０００年９月７日発行、「Battery Cathode」中、及び、米国特許第２００２／０１７２８６７  Ａ１号明細書、２００２年１１月２１日発行、「Battery Cathode」中に説明される。アルカリ電池は、米国特許第６，５０９，１１７号明細書中においても説明される。場合によっては、一次電池は亜鉛−空気電池である。亜鉛−空気電池は、例えば前出の非特許文献１において説明される。
【図面の簡単な説明】
【００３９】
【図１】電池の斜視図である。
【図２】図１中の電池の平面図である。
【図３】電池の斜視図である。
【図４】図３中の電池の平面図である。
【図５】図３中の電池のセルの断面図である。
【図６】図３中の電池の斜視図である。
【図７Ａ】図３中の電池の構成部品の斜視図である。
【図７Ｂ】図３中の電池を作る方法を図示する。
【図７Ｃ】図３中の電池を作る方法を図示する。
【図７Ｄ】図３中の電池を作る方法を図示する。
【図７Ｅ】図３中の電池を作る方法を図示する。
【図７Ｆ】図３中の電池を作る方法を図示する。
【図７Ｇ】図３中の電池を作る方法を図示する。
【図７Ｈ】図３中の電池を作る方法を図示する。
【図７Ｉ】図３中の電池を作る方法を図示する。
【図７Ｊ】図３中の電池を作る方法を図示する。
【図８】電池の平面図である。
【図１】
2007507075.tif 000003
【図２】
2007507075.tif 000004
【図３】
2007507075.tif 000005
【図４】
2007507075.tif 000006
【図５】
2007507075.tif 000007
【図６】
2007507075.tif 000008
【図７Ａ】
2007507075.tif 000009
【図７Ｂ】
2007507075.tif 000010
【図７Ｃ】
2007507075.tif 000011
【図７Ｄ】
2007507075.tif 000012
【図７Ｅ】
2007507075.tif 000013
【図７Ｆ】
2007507075.tif 000014
【図７Ｇ】
2007507075.tif 000015
【図７Ｈ】
2007507075.tif 000016
【図７Ｉ】
2007507075.tif 000017
【図７Ｊ】
2007507075.tif 000018
【図８】
2007507075.tif 000019
【国際調査報告】
2007507075.tif 000020
2007507075.tif 000021
2007507075.tif 000022
2007507075.tif 000023